(57)【要約】【課題】衝撃が加わってもヒンジユニットが本体から外れないように構成された、信頼性の高い取付構造を有する電子機器を提供する。【解決手段】電子機器（１００）は、シャーシ（３）と、第１のネジ（５）を用いてシャーシに固定された固定部材（４１）と、固定部材を介して所定の軸の周りに回転可能な表示部（２）と、第２のネジ（７）を用いて固定部材に固定された外装（６）とを有し、第１のネジは、外装により覆われている。【選択図】図３
2018120130.tif 000002
【特許請求の範囲】
【請求項１】
シャーシと、
第１のネジを用いて前記シャーシに固定された固定部材と、
前記固定部材を介して所定の軸の周りに回転可能な表示部と、
第２のネジを用いて前記固定部材に固定された外装と、を有し、
前記第１のネジは、前記外装により覆われていることを特徴とする電子機器。
【請求項２】
前記固定部材は、前記シャーシに設置される設置面と、該設置面に連結される連結面と、を有し、
前記固定部材は、前記設置面を前記シャーシの上に設置した状態で前記第１のネジを用いて該シャーシに固定されており、
前記表示部は、前記連結面に対して回転可能であることを特徴とする請求項１に記載の電子機器。
【請求項３】
前記固定部材の前記設置面は、前記外装により覆われていることを特徴とする請求項２に記載の電子機器。
【請求項４】
前記固定部材は、設置面内に前記シャーシと当接する当接面領域と該シャーシと当接しない非当接面領域とを有することを特徴とする請求項２または３に記載の電子機器。
【請求項５】
前記外装、前記固定部材、および、前記シャーシは、前記第２のネジを用いて互いに固定されていることを特徴とする請求項１乃至４のいずれか１項に記載の電子機器。
【請求項６】
前記第２のネジの頭部は、外部に露出していることを特徴とする請求項１乃至５のいずれか１項に記載の電子機器。
【請求項７】
前記外装は、前記第２のネジの挿入孔の周囲において、第１の面に凸部を有し、
前記外装の前記凸部が前記固定部材に当接した状態で前記第２のネジを用いて固定されることにより、該外装と該固定部材との間には空間が形成されており、
前記第１のネジの頭部は、前記空間の内部に設けられていることを特徴とする請求項１乃至６のいずれか１項に記載の電子機器。
【請求項８】
前記外装は、前記第２のネジの挿入孔の周囲において、前記第１の面とは反対の第２の面に凹部を有し、
前記第２のネジの頭部は、前記凹部に収められていることを特徴とする請求項７に記載の電子機器。
【請求項９】
前記シャーシに取り付けられたレンズ鏡筒を更に有し、
前記表示部は、前記レンズ鏡筒に対してチルト動作が可能であり、
前記固定部材は、前記レンズ鏡筒を挟むように配置された第１の固定部および第２の固定部を有することを特徴とする請求項１乃至８のいずれか１項に記載の電子機器。
【請求項１０】
前記レンズ鏡筒の光軸と直交する方向から見た場合、前記第１の固定部および前記第２の固定部の少なくとも一方は、該レンズ鏡筒の一部と重なっていることを特徴とする請求項９に記載の電子機器。
【請求項１１】
前記電子機器は、カメラ本体に対して前記表示部が回転可能なデジタルカメラであることを特徴とする請求項１乃至１０のいずれか１項に記載の電子機器。
【発明の詳細な説明】
【技術分野】
【０００１】
本発明は、デジタルカメラなどの電子機器に関する。
【背景技術】
【０００２】
特許文献１には、本体に対して表示ユニットの角度を変更することが可能なデジタルカメラが開示されている。このようなデジタルカメラにおいては、表示ユニットの角度が可変であるために表示ユニットが本体から突出する場合がある。このため、デジタルカメラを不用意に落下させた場合、デジタルカメラに想定外の衝撃が加わることがある。
【先行技術文献】
【特許文献】
【０００３】
【特許文献１】特開２０１５−１４４３６３号公報
【発明の概要】
【発明が解決しようとする課題】
【０００４】
ところで、特許文献１のデジタルカメラでは、外装の上にヒンジユニットのスタンドプレートを配置してネジで固定している。このため、デジタルカメラに衝撃が加わってネジが緩んで外れると、表示ユニットを含めてヒンジユニットごと本体から外れてしまう可能性がある。
【０００５】
そこで本発明は、衝撃が加わってもヒンジユニットが本体から外れないように構成された、信頼性の高い取付構造を有する電子機器を提供することを目的とする。
【課題を解決するための手段】
【０００６】
本発明の一側面としての電子機器は、シャーシと、第１のネジを用いて前記シャーシに固定された固定部材と、前記固定部材を介して所定の軸の周りに回転可能な表示部と、第２のネジを用いて前記固定部材に固定された外装とを有し、前記第１のネジは、前記外装により覆われている。
【０００７】
本発明の他の目的及び特徴は、以下の実施形態において説明される。
【発明の効果】
【０００８】
本発明によれば、衝撃が加わってもヒンジユニットが本体から外れないように構成された、信頼性の高い取付構造を有する電子機器を提供することができる。
【図面の簡単な説明】
【０００９】
【図１】本実施形態におけるデジタルカメラの斜視図である。
【図２】本実施形態におけるデジタルカメラの表示部が被写体側へ向いた状態を示す図である。
【図３】本実施形態におけるデジタルカメラの要部を示す断面図である。
【図４】本実施形態におけるデジタルカメラの要部を示す分解斜視図である。
【図５】本実施形態におけるデジタルカメラのヒンジ取付部とレンズ鏡筒との位置関係を示す図である。
【図６】本実施形態におけるデジタルカメラのヒンジ取付部とレンズ鏡筒の位置関係を示す図である。
【発明を実施するための形態】
【００１０】
以下、本発明の実施形態について、図面を参照しながら詳細に説明する。
【００１１】
まず、図１および図２を参照して、本実施形態におけるデジタルカメラ１００（電子機器）の外観構成について説明する。図１は、デジタルカメラ１００の斜視図であり、カメラ本体１（本体部）に対して表示部２の角度が可変である様子を示している。図１（ａ）は、通常撮影状態を示している。図１（ｂ）は、図１（ａ）の状態から、表示部２の上辺側に設けられた回転軸Ａの周りに所定の角度だけ表示部２を回転させたローアングル撮影状態を示している。図１（ｂ）の状態は、例えば、ユーザがカメラ本体１を目線よりも低い位置に配置してローアングル撮影を行う際に用いられる。図２は、図１（ｂ）の状態から表示部２を更に回転させて、表示部２を被写体側（デジタルカメラ１００の前側）へ向けた状態を撮像面側から示す図である。図２の状態は、例えば、ユーザが自分自身を撮影画角内に入れて撮影を行おうとする場合に用いられる。
【００１２】
次に、図３および図４を参照して、表示部２をカメラ本体１に対して回転可能に取り付けるためのヒンジユニット４（ヒンジ取付部）の構造について説明する。図３は、図２と同様に表示部２が被写体側へ向いた状態における要部の断面図である。図３（ａ）は、図２の線ａ−ａに沿った断面図であり、左側のヒンジ取付部（左側取付部）を示している。図３（ｂ）は、図２の線ｂ−ｂに沿った断面図であり、右側のヒンジ取付部（右側取付部）を示している。図４は、表示部２が被写体側へ向いた状態における要部の分解斜視図である。図４（ａ）、（ｂ）は、左側取付部および右側取付部の分解斜視図をそれぞれ示している。
【００１３】
金属からなる高剛性のシャーシ３には、レンズ鏡筒などカメラ本体１を構成する主要部品が取り付けられている。表示部２を含むヒンジユニット４は固定部材４１を有し、固定部材４１の設置面４１１がシャーシ３に設置される。また固定部材４１は、設置面４１１に連結する連結面４１２に設けられた回転軸Ａの周りに、表示部２を回転可能に構成される。
【００１４】
固定部材４１の設置面４１１がシャーシ３に設置されると、固定部材４１は、ネジ５（第１のネジ）を用いてシャーシ３に固定される。固定部材４１の設置面４１１およびネジ５は外装６により覆われ、外装６は、外観ネジ７ａ、７ｂ（第２のネジ）を用いて固定部材４１の設置面４１１に固定される。図３（ａ）および図４（ａ）に示されるように、外観ネジ７ａは、外装６に設けられた孔６ａを通り、更に固定部材４１の設置面４１１に設けられた孔４１１ａを貫通し、シャーシ３に設けられた雌ネジ部３ａに締結される。図３（ｂ）および図４（ｂ）に示されるように、外観ネジ７ｂは、外装６に設けられた孔６ｂを通り、設置面４１１に設けられた雌ネジ部４１１ｂに締結される。
【００１５】
図３（ａ）、（ｂ）に示されるように、設置面４１１およびネジ５は外装６により覆われているが、外装６の非外観面側（内側面）には凸部６１が設けられている。従って、凸部６１の高さ分（突出分）だけ、ネジ５の近傍（周囲）には空間が形成されるため、ネジ５の頭部が外装６へ干渉することなく収まる。外装６は金属からなり、外装６には、非外観面側の凸部６１と同じ位置の外観面側（外側面）において、凸部６１の凸量と略等しい凹量の凹部６２がハーフパンチ加工により形成されている。その結果、凹部６２に外観ネジ７ａ、７ｂの頭部を収めて固定することができる。このため、外装６の面（外面）よりも外観ネジ７ａ、７ｂが突出することなく、かつ、ネジ５が外装６に干渉することなく確実に固定することが可能となる。
【００１６】
図３（ａ）に示されるように、左側取付部の外観ネジ７ａは、固定部材４１の設置面４１１に設けられた孔４１１ａを通過し、シャーシ３に設けられた雌ネジ部４１１ａに固定される。一方、図３（ｂ）に示されるように、右側取付部の外観ネジ７ｂは、直接、設置面４１１に設けられた雌ネジ部４１１ｂへ固定されており、シャーシ３には固定されていない。このように、少なくとも１つの固定部材（本実施形態では、右側取付部の固定部材４１）は、設置面４１１においてシャーシ３と当接する当接面領域４１１ｃとシャーシ３と当接しない非当接面領域４１１ｄとを有する。
【００１７】
図３（ｂ）および４（ｂ）において、接続部８は、メイン基板９へ接続するフレキシブル基板のＢｔｏＢコネクタである。シャーシ３は、接続部８を避けるように構成されており、接続部８が配置されている領域には存在しない。このため、メイン基板９をシャーシ３へ取り付けた後に、接続部８をメイン基板９上のコネクタへ接続することが可能となり、組立作業性およびスペース効率が向上する。
【００１８】
同様に、図３（ｂ）および図４（ｂ）において、外観ネジ７ｂはシャーシ３に直接固定されていない。一方、固定部材４１は、ネジ５によりシャーシ３に固定されているとともに、更に多数の箇所（不図示）で強固に固定された外装６と外観ネジ７ｂとにより固定されているため、十分な強度で固定することが可能である。左側取付部および右側取付部のそれぞれにおいて、ネジ５の頭部は、外装６により覆われている。このため、衝撃（外力）が加わって仮にネジ５が緩んだとしても、ネジ５がシャーシ３および設置面４１１から外れることはない。このように本実施形態によれば、表示部２を備えたヒンジユニット４の固定部材４１がカメラ本体１から外れることがないため、信頼性の高いデジタルカメラ１００を提供することが可能である。
【００１９】
次に、図５および図６を参照して、レンズ鏡筒１０と固定部材４１との位置関係を説明する。図５は、レンズ鏡筒１０およびヒンジユニット４のみを撮像面側（デジタルカメラ１００の後側）から示す図である。図６は、図５と同様の状態をデジタルカメラ１００の上面側から示す図である。図６中には、レンズ鏡筒１０の一部と固定部材４１との位置関係を示す領域Ｒ１、Ｒ２の拡大図についても示されている。
【００２０】
図５に示されるように、デジタルカメラ１００は、シャーシ３に取り付けられたレンズ鏡筒１０を有する。ヒンジユニット４（表示部２）は、レンズ鏡筒１０に対して回転（チルト動作）が可能である。固定部材４１は、レンズ鏡筒１０を中央に跨ぐように（レンズ鏡筒１０を挟むように）配置された第１の固定部４１ａおよび第２の固定部４１ｂを有する。
【００２１】
図６に示されるように、レンズ鏡筒１０の光軸ＯＡと直交する方向（光軸直交方向）から見た場合、左右の固定部材４１（設置面４１１）は、光軸ＯＡに沿った方向（光軸方向）において、レンズ鏡筒１０の一部と重なっている。このような位置関係とすることにより、レンズ鏡筒１０と表示部２とを互いに近づけることができる。その結果、レンズ鏡筒１０の先端と表示部２との間の距離Ｄを短くすることができるため、カメラ本体１の全体（デジタルカメラ１００）の薄型化を実現することが可能である。
【００２２】
このように本実施形態において、電子機器（デジタルカメラ１００）は、シャーシ３、固定部材４１、表示部２、および、外装６を有する。固定部材４１は、第１のネジ（ネジ５）を用いてシャーシ３に固定されている。表示部２は、固定部材４１を介して所定の軸（回転軸Ａ）の周りに回転可能である。外装６は、第２のネジ（外観ネジ７ａ、７ｂ）を用いて固定部材４１に固定されている。第１のネジは、外装６により覆われている。
【００２３】
好ましくは、固定部材４１は、シャーシ３に設置される設置面４１１と、設置面４１１に連結される連結面４１２とを有する。固定部材４１は、設置面４１１をシャーシ３の上に設置した状態で第１のネジを用いてシャーシ３に固定されている。表示部２は、連結面４１２に対して回転可能である。より好ましくは、固定部材４１の設置面４１１は、外装６により覆われている。また好ましくは、外装６、固定部材４１、および、シャーシ３は、第２のネジ（外観ネジ７ａ）を用いて互いに固定されている。また好ましくは、第２のネジの頭部は、外部に露出している。
【００２４】
好ましくは、外装６は、第２のネジの挿入孔（孔６ａ、６ｂ）の周囲において、第１の面（内面側）に凸部６１を有する。外装６の凸部６１が固定部材４１に当接した状態で第２のネジを用いて固定されることにより、外装６と固定部材４１との間には空間が形成されており、第１のネジの頭部はその空間の内部に設けられている。より好ましくは、外装６は、第２のネジの挿入孔の周囲において、第１の面とは反対の第２の面（外面側）に凹部６２を有し、第２のネジの頭部はその凹部に収められている。
【００２５】
本実施形態によれば、衝撃が加わってもヒンジユニットが本体から外れないように構成された、信頼性の高い取付構造を有する電子機器を提供することができる。また、電子機器の小型化を実現することも可能である。なお本実施例の電子機器は、１軸式のチルトヒンジ機構を用いているが、これに限定されるものではなく、２軸式のチルトヒンジ機構などの他の機構を適用することもできる。また本実施例は、電子機器として、カメラ本体に対して表示部が回転可能なデジタルカメラを説明しているが、これに限定されるものではなく、本体と表示部とを備えた他の電子機器にも適用可能である。
【００２６】
以上、本発明の好ましい実施形態について説明したが、本発明はこれらの実施形態に限定されず、その要旨の範囲内で種々の変形及び変更が可能である。
【符号の説明】
【００２７】
２  表示部
３  シャーシ
５  ネジ（第１のネジ）
６  外装
７ａ、７ｂ  外観ネジ（第２のネジ）
４１  固定部材
１００  デジタルカメラ（電子機器）
【図１】
2018120130.tif 000003
【図２】
2018120130.tif 000004
【図３】
2018120130.tif 000005
【図４】
2018120130.tif 000006
【図５】
2018120130.tif 000007
【図６】
2018120130.tif 000008